(57)【要約】  【課題】従来のような単調な面ではなく、より複雑で創造的な立面を与えるスクリーンを、自立性を担保しつつ提供する。【解決手段】平面視Ｖ字型に屈曲する底辺フレーム１２と、この底辺フレーム１２に支持体である側辺フレーム１３を介して対向配置させた上辺フレーム１１とを備え、上辺フレーム１１に、平面視において底辺フレーム１２の２箇所を横断する形状を付与してフレーム構造体１ｘを構成するとともに、このフレーム構造体１ｘの両フレーム１１，１２にそれぞれ張材１５の上縁及び下縁を支持させて、張材１５の両縁部間に両フレーム１１，１２の形状に応じた３次元状の立面を形成することとした。  【選択図】図１
2008121270.tif 000002
【特許請求の範囲】
【請求項１】
平面視湾曲ないし屈曲形状をなす底辺フレームと、この底辺フレームに支持体を介して対向配置された上辺フレームとを備え、上辺フレームに、平面視において底辺フレームの少なくとも１箇所を横断するような形状を付与してフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とするスクリーン。
【請求項２】
平面視湾曲ないし屈曲形状をなす底辺フレームと、この底辺フレームに支持体を介して対向配置された上辺フレームとを備え、上辺フレームに、平面視において底辺フレーム及び当該底辺フレームの端部間を結ぶ線によって囲まれる範囲の内側に収まるような形状を付与してフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とするスクリーン。
【請求項３】
平面視湾曲ないし屈曲形状をなす底辺フレームと、この底辺フレームに支持体を介して対向配置された上辺フレームとを備え、上辺フレームに、平面視において底辺フレームとは異なる形状を付与するとともに、支持体から上辺フレームに亘る部位の重心が底辺フレーム及び当該底辺フレームの端部間を結ぶ線によって囲まれる範囲の内側に位置するようにしてフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とするスクリーン。
【請求項４】
支持体が、上辺フレーム及び底辺フレームの間を閉ループ状に接続する側辺フレームであり、側辺フレームにも張材の対応縁部を支持させている請求項１〜３記載のスクリーン。
【請求項５】
側辺フレームの少なくとも一部が側面視屈曲ないし湾曲形状をなす請求項４記載のスクリーン。
【請求項６】
底辺フレームの両端部及び中間部に接地アジャスタを設け、これらの接地アジャスタが三角形の頂点をなす関係で３点接地するように構成している請求項１〜５記載のスクリーン。
【請求項７】
張材の側縁及び下縁に、側辺フレーム及び底辺フレームを挿し通すための側縁縫製部及び下縁縫製部をそれぞれ設けたものであって、側辺フレームと底辺フレームの交叉部に、張材の側縁縫製部及び下縁縫製部に係り合ってその境界部分を隠蔽するカバー部材を取り付けている請求項４又は５記載のスクリーン。
【請求項８】
請求項４又は５記載のスクリーンを利用したものであって、側辺フレームに共通の形状を用いるとともに上辺フレーム及び底辺フレームの少なくとも一方の形状を異ならせて複数のスクリーンを構成し、これらのスクリーンを組み合わせて使用するようにしたことを特徴とするスクリーンユニット。
【請求項９】
Ｔ字状に交叉するフレームの内側に張材が張られ、張材は対応縁部にそれぞれ各フレームに挿し通すための縫製部を備えているスクリーンに適用されるものであって、前記交叉部に取り付けられ、張材の両縫製部に係り合ってその境界部分を隠蔽するように構成したことを特徴とするカバー部材。
【発明の詳細な説明】
【技術分野】
【０００１】
本発明は、オフィスやホール等において居住空間を間仕切る際に好適に使用されるスクリーンに関するものである。
【背景技術】
【０００２】
この種のスクリーンは、例えば特許文献１等に示されるように、直線状をなす上辺フレーム、底辺フレーム及び左右の側辺フレームによって枠体状に構成したフレームの内側に面材を嵌め込んで構成されるものが一般的である。
【特許文献１】特開２０００−１９３１号公報
【発明の開示】
【発明が解決しようとする課題】
【０００３】
しかしながら、かかる従来のスクリーンは平面的なものであるため、極めて変化に乏しく、空間を間仕切る以外の機能は少ない。上下のフレームを同じ形状に湾曲させれば円筒状に湾曲した面を構成することもできるが、対向２辺が同じフレーム形状であると対向方向と直交する方向の張材の断面はフレーム間のどこをとっても両フレームと同じ形状をなすため、スクリーンの面としては単純な曲面が構成されるに過ぎない。さりとて、フレーム等の部材を張材の中央部に押し付けて異形な立面を形成しようとすれば、押し付けた部分で面の連続性が絶たれ、何より不恰好である。このような不具合を伴うことなく、様々に変化する三次元的な立面を構成することができれば、より独創的な空間を演出するインテリアアイテムとして利用価値の高いスクリーンを提供することができるものと考えられる。
【０００４】
本発明は、このような異形な立面の実現に際し、特に配置の自由度や組み合わせによる多様な立面の拡張性にも配慮して、可搬性のある自立可能な構造を前提としつつ、かかる異形な立面を有するスクリーンを簡易な構造を通じて的確に構成することを目的としている。
【課題を解決するための手段】
【０００５】
本発明は、かかる目的を達成するために、次のような手段を講じたものである。
【０００６】
すなわち、本発明のスクリーンは、平面視湾曲ないし屈曲形状をなす底辺フレームと、この底辺フレームに支持体を介して対向配置された上辺フレームとを備え、上辺フレームに、平面視において底辺フレームの少なくとも１箇所を横断するような底辺フレームとは異なる形状を付与してフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とする。
【０００７】
このように構成すると、上辺フレームから底辺フレームに向かって、張材の断面が一方のフレーム形状から他方のフレーム形状へと変遷するため、中間部には何れのフレーム形状にも属さない異形な立面が現われることになる。その際、上辺フレームが、平面視において少なくとも１箇所を横断するようにしているので、この条件を満たしながら種々の形状を追求すれば、支持体の形状が突飛でない限り重心位置が底辺フレームに対し適切に位置づけられて自立性が有効に担保されることとなる。特に、上辺フレームから底辺フレームに向かって張材が内側に張り出す領域と外側に張り出す領域とが並存するので、従来にはない独創的で複雑な立面を創り出すことができる。
【０００８】
或いは、本発明の他の構成としては、平面視湾曲ないし屈曲形状をなす底辺フレームと、この底辺フレームに支持体を介して対向配置された上辺フレームとを備え、上辺フレームに、平面視において底辺フレーム及び当該底辺フレームの端部間を結ぶ線によって囲まれる範囲の内側を通るような底辺フレームとは異なる形状を付与してフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とする。
【０００９】
このように構成しても、上辺フレームから底辺フレームに向かって、張材の断面が一方のフレーム形状から他方のフレーム形状へと変遷するため、中間部には何れのフレーム形状にも属さない異形な立面が現われることになる。その際、上辺フレームが、平面視において底辺フレーム及び当該底辺フレームの端部間を結ぶ線によって囲まれる範囲の内側を収まるようにしているので、この範囲内で種々の形状を追求しても、支持体の形状が突飛でない限り重心位置がその範囲内に位置づけられて自立性が有効に担保されることとなる。この場合の立面は、上辺フレームから底辺フレームに向かって異形な面を形成しつつ外側に張り出す形態となり、上記とは趣きの異なる立面となる。
【００１０】
さらに、本発明の上記以外の構成としては、平面視湾曲ないし屈曲形状をなす底辺フレームと、この底辺フレームに支持体を介して対向配置された上辺フレームとを備え、平面視において上辺フレームが底辺フレームとは異なる形状を有するとともに、支持体から上辺フレームまでの重心が底辺フレーム及び当該底辺フレームの端部間を結ぶ線によって囲まれる範囲の内側に位置するようにしてフレーム構造体を構成するとともに、このフレーム構造体の少なくとも上辺フレーム及び底辺フレームにそれぞれ張材の対応縁部を支持させて、張材の両縁部間に両フレームの形状に応じた３次元状の立面を形成したことを特徴とする。
【００１１】
このように構成しても、上辺フレームから底辺フレームに向かって、張材の断面が一方のフレーム形状から他方のフレーム形状へと変遷するため、中間部には何れのフレーム形状にも属さない異形な立面が現われることになる。その際、支持体から上辺フレームに亘る部分の重心が底辺フレーム及び当該底辺フレームの端部間を結ぶ線によって囲まれる範囲の内側に位置するように構成しさえすれば、自立性は確実に保たれるので、支持体を含めて両フレームに自由な形状を付与することができ、より変化に富んだ立面を追求することが可能となる。例えば、底辺フレームが、平面視において上辺フレーム及び当該上辺フレームの端部間を結ぶ線によって囲まれる範囲の内側を通るようなフレーム構造体、すなわち底辺フレームよりも上辺フレームが大きいフレーム構造体なども、有効に構成することができる。
【００１２】
好ましい支持体の態様としては、上辺フレーム及び底辺フレームの間を閉ループ状に接続する側辺フレームであり、側辺フレームにも張材の対応縁部を支持させるようにしたものが挙げられる。
【００１３】
その場合、本発明の効果を更に高める側辺フレームの形態とは、少なくともその一部が側面視屈曲ないし湾曲形状をなしているものが望ましい。
【００１４】
上記のような自立性が担保されることにより、さらに安定性を高め且つ高さ調整可能とするために、底辺フレームの両端部及び中間部に接地アジャスタを設け、これらの接地アジャスタが三角形の頂点をなす関係で３点接地するように構成しておくことが効果的となる。
【００１５】
底辺フレームと側辺フレームの交叉部ないし交叉部近傍又は当該交叉部から何れかのフレームを延長した部位に接地アジャスタを設ける場合等に、フレームに張材を適切に支持させ、フレームの交叉部においてその張材を適切に処理するためには、張材の側縁及び下縁に、側辺フレーム及び底辺フレームを挿し通すための側縁縫製部及び下縁縫製部をそれぞれ設け、前記交叉部に、張材の側縁縫製部及び下縁縫製部に係り合ってその境界部分を隠蔽するカバー部材を取り付けておくことが好適である。
【００１６】
上記のスクリーンを用いて空間の創造を効果的に行うためには、側辺フレームに共通の形状を用いるとともに上辺フレーム及び底辺フレームの少なくとも一方の形状を異ならせて複数のスクリーンを構成し、これらのスクリーンを組み合わせて使用できるスクリーンユニットに展開することが有用となる。個々に離散配置して空間を間仕切ることができるのは勿論のこと、スクリーン同士を密接に隣接させれば、側辺において立面の連続性が得られ、立面の有効な拡張を行うことが可能となるからである。
【００１７】
Ｔ字状に交叉するフレームの内側に張材が張られ、張材は対応縁部にそれぞれ各フレームに挿し通すための縫製部を備えているスクリーン一般においては、その交叉部に対して取り付け可能であって取付状態で張材の両縫製部に係り合ってその境界部分を隠蔽するようにカバー部材を構成することが極めて便利である。
【発明の効果】
【００１８】
本発明のスクリーンによれば、簡単な構造で従来とは全く趣きの異なる異形な立面を自立性を担保しつつ有効に構成することができ、これにより単に居住空間を間仕切る衝立としての機能のみならず、斬新な視覚的効果を持ち込んで独創的な空間を演出するアイテムとして高い利用価値を有するものとなる。
【発明を実施するための最良の形態】
【００１９】
以下、本発明の一実施形態を、図面を参照して説明する。
【００２０】
図１は、本実施形態に係る２つのタイプの第１スクリーン１及び第２スクリーン２を、一部破砕してフレーム構造を表出させた状態で図示している。これらのスクリーン１，２は、いずれも上辺フレーム１１，２１と底辺フレーム１２，２２を異なる形状にしてその間に張材１５，２５を張ることにより、フレームの内側に３次元状の異形な立面を構成したもので、これらのスクリーン１，２を衝立として利用して、その内側に変化と創造性に富んだ居住空間を演出できるようにしている。
【００２１】
具体的に説明すると、第１スクリーン１は図１〜図３に示すように、ほぼ直線状をなす上辺フレーム１１と、中間部が鈍角に屈曲した平面視Ｖ字状をなす底辺フレーム１２と、直線状に立ち上がり上端側が少なくとも背面側に反り返った左右の側辺フレーム１３とから構成される閉ループ状のフレーム構造体１ｘを主体とするもので、左右の側辺フレーム１３の下端及び底辺フレーム１２の中央部の下端に接地アジャスタ１ａを設けている。上辺フレーム１１と側辺フレーム１３の間は滑らかに湾曲して連続しており、側辺フレーム１３と底辺フレーム１２は側面視Ｔ字状に交叉している。これらのフレーム１１，１２，１３には、本実施形態では丸パイプ状のフレーム部材（骨材）が用いてあり、少なくとも上辺フレーム１１と側辺フレーム１３との境界部付近にはフレーム部材同士の接続部が存するが、その断面形状を始め、どのようなフレーム部材を用いるかについては特に問わない。すなわち、本発明に言う上辺フレーム１１、底辺フレーム１２及び側辺フレーム１３は、組み上がった状態の形態に着目しているのであって、個々のフレーム部材が上辺フレーム１１、底辺フレーム１２及び側辺フレーム１３に正確に対応していることは必ずしも必要でない。例えば、側辺フレーム１３と上辺フレーム１１のアール部分を避けた位置に接続部が位置するようにフレーム部材を設計するなど、具体的構造は任意である。
【００２２】
第１スクリーン１の組み上がった状態でのフレーム構造体１ｘは、対向２辺の一方を構成する上辺フレーム１１が叙述のように平面視直線状をなし、他方を構成する底辺フレーム１２が平面視Ｖ字状をなしているため、両者は平面視において２点ｐ、ｑで交叉しており、どの部位においても互いに平行に重なる共通部分を有しない。このフレーム構造体１ｘは、底辺フレーム１２を当該底辺フレーム１２の端部間を結ぶ仮想線Ｌを含めて三角形と見立てたときに上辺フレーム１１のみの重心位置Ｏ１、及び、側辺フレーム１３から上辺フレーム１１に亘る部位のトータルの重心位置Ｏ２が、何れもその三角形の内側に収まる関係に設定あり、上述した３つの接地アジャスタ１ａによって安定的に自立して接地する。接地アジャスタ１ａを有しない状態でも同様である。接地アジャスタ１ａを底辺フレーム１２の端部以外の部位に設けた場合には、接地アジャスタ１ａによって構成される三角形の範囲内に重心位置が収まっていればよい。
【００２３】
一方、図１に示す張材１５は、カーテン素材などの可撓性に富む半透明の生地を縫製したもので、上縁から側縁に亘る部位に袋状に縫製した上縁縫製部１５ａ及び側縁縫製部１５ｂを連続的に形成し、下縁にファスナＦ（図４（ｄ）参照）によって袋状に閉止できる下縁縫製部１５ｃを形成している。
【００２４】
そして、図４（ａ）に示すように張材１５の上縁縫製部１５ａ及び側縁縫製部１５ｂを上辺フレーム１１に対応するフレーム部材（骨材）に挿し通した後、同図（ｂ）に示すように上辺フレーム１１の両端に側辺フレーム１３に対応するフレーム部材（骨材）を接続して側縁縫製部１５ｂを上辺フレーム１１から側辺フレーム１３側に移動させる。その前後において、側辺フレーム１３の基端近傍部間に底辺フレーム１２を構成するフレーム部材（骨材）を接続しておく。そして、同図（ｃ）に示すように上方から降ろして来た張材１５の下縁縫製部１５ｃを底辺フレーム１２の下端側に巻き回して、同図（ｄ）に示すファスナーＦを閉じることにより、下縁縫製部１５ｃの内部に底辺フレーム１２を閉じ込める。
【００２５】
これにより、張材１５の上縁、下縁及び側縁が、それぞれ閉ループ状に接続されたフレーム構造体１ｘの上辺フレーム１１、底辺フレーム１２及び側辺フレーム１３にそれぞれ支持されて、フレーム構造体１ｘの閉ループの内側にテンションの掛かった状態で張材１５が張られ、中央に図１に示すような張材１５による異形な立面が形成されることとなる。
【００２６】
その際、図４（ｃ）に示すように、底辺フレーム１２に挿し通した下縁縫製部１５ｃの端部１５ｃ１と側辺フレーム１３に挿し通した側縁縫製部１５ｂの端部１５ｂ１とが分断された状態で底辺フレーム１２と側辺フレーム１３のＴ字をなす交叉部に位置することとなり、張材１５に対してその境界部分の周辺を十分補強することは難しい。このため、このまま使用すると、張材１５が中央に向かって引張られた際に位置ずれしたり、その境界部分から張材１５が裂けるおそれがある。
【００２７】
そこで本実施形態は、前記交叉部に、図５に示すようにカバー部材１６を装着するようにしている。
【００２８】
このカバー部材１６は、設置アジャスタ１ａを接続していない状態で側辺フレーム１３の下方から挿入されてＴ字状をなす前記交叉部に位置づけられるもので、図５及び図６に示すように、交叉部よりも下方の側辺フレーム１３と嵌合する円筒状の嵌合部１６ａと、側辺フレーム１３と底辺フレーム１２の入り隅部に被さるように位置する一対の対向片１６ｄと、交叉部よりも上方において側辺フレーム１３に部分的に抱きつくように係り合う部分円筒状の係り合い部１６ｂと、交叉部よりも内方において底辺フレーム１２に部分的に抱きつくように係り合う部分円筒状の係り合い部１６ｃとを樹脂一体成型したものである。その際、両係り合い部１６ｃ、１６ｄの内周には突起１６ｅが設けてあり、取付位置でこれらの突起１６ｅが張材１５の側縁縫製部１５ｂ及び下縁縫製部１５ｃに食い込むように係り合って、張材１５の位置ずれを防止しつつ、それらの縫製部１５ｂ、１５ｃの端部１５ｂ１，１５ｃ１を含む張材１５の隅部を隠蔽するようにしている。
【００２９】
一方、図１に示す第２スクリーン２も、上辺フレーム２１や下辺フレーム２２の形態が上記第１スクリーン１の上辺フレーム１１や底辺フレーム１２と異なるだけで、基本的構成は第１スクリーン１と同様である。
【００３０】
すなわち、この第２スクリーン１は、図１、図７及び図８に示すように、平面視部分円弧状をなす上辺フレーム２１と、中間部が略直角に屈曲した平面視Ｖ字状をなす底辺フレーム２２と、直線状に立ち上がり少なくとも上端側が背面側に反り返った左右の側辺フレーム２３からなる閉ループ状のフレーム構造体２ｘを主体とするもので、左右の側辺フレーム２３の下端及び底辺フレーム２２の中央部の下端に接地アジャスタ２ａを設けている。上記第１スクリーン１と同様、少なくとも上辺フレーム２１と側辺フレーム２３との境界部付近にはフレーム部材の接続部が存するが、個々のフレーム部材が上辺フレーム２１、底辺フレーム２２及び側辺フレーム２３に正確に対応していることが必ずしも必要でないことは既に述べた通りである。
【００３１】
第２スクリーン２の組み上がった状態でのフレーム構造体２ｘは、対向２辺の一方を構成する上辺フレーム２１が平面視弓形に湾曲する形状をなし、他方を構成する底辺フレーム１２が平面視Ｖ字状をなしていて、両者は２点ｒ、ｓで交叉する以外に互いに平行に重なる共通部分を持たない。このフレーム構造体２ｘも、底辺フレーム２２を当該底辺フレーム２２の端部間を結ぶ仮想線Ｌを含めて三角形と見立てたときに上辺フレーム２１のみの重心位置Ｏ３、及び、側辺フレーム２３から上辺フレーム２１に亘る部位のトータルの重心位置Ｏ４が、何れもその三角形の内側に収まる関係にあり、上述した３つの接地アジャスタ１ａによって安定的に自立して接地する。
【００３２】
図１に示す張材２５も第１スクリーン１におけると同様に上縁縫製部２５ａ、側縁縫製部２５ｂ及び下縁縫製部２５ｃからなるものである。
【００３３】
この第２スクリーン２は、側辺フレーム２３が前記第１スクリーン１の側辺フレーム１３と同じ形状にしてあり、上辺フレーム２１及び底辺フレーム２２が第１スクリーン１の上辺フレーム１１及び底辺フレーム１２と異ならせてある。
【００３４】
以上のように構成される本実施形態のスクリーン１、２の効果を、第１スクリーン１を主体にして説明すると次のようになる。
【００３５】
すなわち、この第１スクリーン１は、平面視Ｖ字型に屈曲する底辺フレーム１２と、この底辺フレーム１２に支持体である側辺フレーム１３を介して対向配置させた上辺フレーム１１とを備え、上辺フレーム１１に、平面視において底辺フレーム１２の２箇所ｐ、ｑ（第２スクリーン２では符合ｒ、ｓで示す部分）を横断する形状を付与してフレーム構造体１ｘを構成するとともに、このフレーム構造体１ｘの両フレーム１１，１２にそれぞれ張材１５の上縁及び下縁を支持させて、張材１５の両縁部間に両フレーム１１，１２の形状に応じた３次元状の立面を形成したものである。
【００３６】
このように構成を通じて、上辺フレーム１１の形状を底辺フレーム１２の形状と異ならせているので、上辺フレーム１１から底辺フレーム１２に向かって、張材１５の断面が直線形状からＶ字形状へと変遷（第２スクリーン２においては弓型からＶ字形へと変遷）するため、中間部には何れのフレーム形状にも属さない異形な立面が現われることになる。その際、上辺フレーム１１が、平面視において底辺フレーム１２の２箇所ｐ、ｑ（第２スクリーン２ではｒ、ｓ）を横断するようにしており、上辺フレームの重心位置Ｏ１（第２スクリーンではＯ３）や、側辺フレーム１３から上辺フレーム１１に至る部位の重心位置Ｏ２（第２スクリーンではＯ４）も底辺フレーム１３の三角形の内側に収まるので、自立性が有効に担保されることとなる。特に、上記のようなフレーム形状差があると、上辺フレーム１１から底辺フレーム１２に向かって張材１５が内側に張り出す領域と外側に張り出す領域とが並存して複雑な立面を形成するので、より独創的で異形な立面を創り出すことが可能となる。
【００３７】
また、この実施形態では、支持体として上辺フレーム１１及び底辺フレーム１２の間を閉ループ状に接続する側辺フレーム１３を採用し、この側辺フレーム１３にも張材１５の対応縁部を支持させていて、スクリーンの中央の面にフレーム部材を押し付ける等の構造を有しないため、当該スクリーンの中央の面を張材１５のみによって構成することができる。しかも、上辺フレーム１１と底辺フレーム１２の間において張材１５にテンションを加えるだけでなく、側辺フレーム１３からも張材１５に横方向のテンションを加えることができるので、張材全体が緊張して上縁から下縁に向かう立面形状をより滑らかにくっきりと現わすことが可能となる。
【００３８】
さらに、仮に側辺フレーム１３が直線であるとした場合には、平面視において上辺フレーム及び底辺フレームの両端位置がその側辺フレームの端部にほぼ合致していなければならないため、上辺フレームと底辺フレームの間に形状差や相対的位置に自ずと制約が生じるところ、この実施形態では側辺フレーム１３の上方が側面視後方に向かって湾曲する形状をなしており、上辺フレーム１１を底辺フレーム１２に対して水平方向へ変位させているので、上記のように平面視２点で交叉する相対関係を実質的に実現可能としているものである。このように、側辺フレーム１３が屈曲ないし湾曲することで、両フレーム１１，１２の水平方向位置や形状に係る自由度が格段に高くなる効果が奏される。しかも、このような側辺フレーム１３で張材１５の対応縁部を支持するので、張材１５の異形な立面構成にも寄与することができる。
【００３９】
また、上記のような自立性を有するからこそ、底辺フレーム１２の両端部及び中間部に接地アジャスタ１ａを設け、これらの接地アジャスタ１ａが三角形の頂点をなす関係で３点接地するように構成して更に安定性を担保しつつ高さ調整可能とすることができ、レイアウト設計に有効に資することができる。
【００４０】
さらに、上記のように底辺フレーム１１と側辺フレーム１３の交叉部に接地アジャスタ１ａを設けたフレーム構造体１ｘに対して、張材１５側は、その側縁及び下縁に、側辺フレーム１３及び底辺フレーム１２を挿し通すための側縁縫製部１５ｂ及び下縁縫製部１５ｃをそれぞれ設けているが、本実施形態では前記フレーム構造体１ｘの交叉部に、張材１５の側縁縫製部１５ｂ及び下縁縫製部１５ｃに係り合ってその境界部分を隠蔽するカバー部材１６を取り付けるようにしている。このため、側縁縫製部１５ｂの端部１５ｂ１と下縁縫製部１５ｃの端部１５ｃの間が両フレーム１３，１２の交叉部と干渉しないために分断されていても、その縫製端部を適切に目隠しして良好な外観を確保することができ、また張材１５にテンションが掛かった場合にも、張材１５に位置ずれが生じたり張材１５が前記境界部分から裂ける不具合を適切に防止することができる。
【００４１】
以上は第２スクリーン２についても全く同様である。
【００４２】
そして、この実施形態で構成した第１スクリーン１及び第２スクリーン２は、側辺フレーム１３，２３に共通の形状を用い、上辺フレーム１１，２１及び底辺フレーム２１，２２の形状を異ならせているため、これらのスクリーンを組み合わせて使用する際に、個々に空間を間仕切るように配置することができるのは勿論のこと、スクリーン１，２同士を密接に隣接させれば、側辺フレーム１３，２３が合致することで立面の連続性が得られ、幅方向への立面の有効な拡張を行うことも可能となる。
【００４３】
さらにまた、上記のカバー部材１５は、図示例のようにＴ字状に交叉するフレーム１３，１２の内側に張材１５が張られ、張材１５は対応縁部にそれぞれ各フレーム１３，１２に挿し通すための縫製部１５ｂ、１５ｃを備えているスクリーンであれば、図示例以外のものにも適用できて、取付状態で張材１５の両縫製部に係り合ってその境界部分を隠蔽する効果を奏するものとなる。
【００４４】
なお、各部の具体的な構成は、上述した実施形態のみに限定されるものではなく、上辺フレームや底辺フレームの形状等は図示例以外にも種々変形して実施することができる。
【００４５】
例えば、底辺フレームはＶ字状以外に湾曲形状等としてもよく、或いは図９に示すように上辺フレーム１１１の重心位置のみならず当該上辺フレーム１１１それ自体の配置を、平面視において底辺フレーム１１２及び当該底辺フレーム１１２の端部同士を結ぶ仮想線Ｌによって囲まれる三角形の範囲内に収まるような形状にすること等も有効である。
【００４６】
このようにしてもフレーム構造の自立性を確保することができ、また立体面は上記ほど極端な異形とはならないまでも本発明の所期の効果を奏し、重心位置も安定するため、可搬性のある使い勝手の良好なスクリーンとしての利用価値を有する。
【００４７】
また、上記実施形態では上辺フレームが平面視２箇所において底辺フレームを横断するように構成したが、少なくとも平面視１箇所以上で底辺フレームを横断するように構成すれば、上記実施形態に準じた作用効果が奏される。
【００４８】
さらに、支持体から上辺フレームに亘る部位の重心が底辺フレーム及び当該底辺フレームの端部間を結ぶ線によって囲まれる範囲の内側に位置するようにさえすれば、底辺フレームが、平面視において上辺フレーム及び当該上辺フレームの端部間を結ぶ線によって囲まれる範囲の内側を通るようなフレーム構造体、すなわち底辺フレームよりも上辺フレームが大きいフレーム構造体なども、有効に構成することができる。
【００４９】
その他の構成も、本発明の趣旨を逸脱しない範囲で種々変形が可能である。
【図面の簡単な説明】
【００５０】
【図１】本発明の一実施形態に係る第１スクリーン及び第２スクリーンを使用状態において示す斜視図。
【図２】同実施形態の第１スクリーンを構成するフレーム構造体を示す平面図。
【図３】図２の側面図。
【図４】同実施形態の第１スクリーンの組立手順を示す図。
【図５】フレーム構造体の交叉部における張材の処理方法を示す斜視図。
【図６】図５で使用されるカバー部材の斜視図。
【図７】同実施形態の第２スクリーンを構成するフレーム構造体を示す平面図。
【図８】図７の側面図。
【図９】本発明の変形例を示す平面図。
【符号の説明】
【００５１】
１…第２スクリーン
２…第２スクリーン
１ａ、２ａ…接地アジャスタ
１ｘ、２ｘ…フレーム構造体
１１、２１…上辺フレーム
１２、２２…底辺フレーム
１３、２３…側辺フレーム
１５、２５…張材
１５ｂ、２５ｂ…側縁縫製部
１５ｃ、２５ｃ…下縁縫製部
１６…カバー部材
【図１】
2008121270.tif 000003
【図２】
2008121270.tif 000004
【図３】
2008121270.tif 000005
【図４】
2008121270.tif 000006
【図５】
2008121270.tif 000007
【図６】
2008121270.tif 000008
【図７】
2008121270.tif 000009
【図８】
2008121270.tif 000010
【図９】
2008121270.tif 000011